(57)【要約】 【課題】本発明は手動操作で迅速に且つ労力を軽減化してホースの巻取りが可能となると共に簡便に持運びが出来る消防用ホースの巻取り機を提供することを目的とする。【解決手段】ホースの幅より広い間隔を保持する両側面11,12と、その下端と連結する底面13とから成る支持枠体１が金属板で断面コの字状に形成され、一方の側面12が蝶番を介して外側に開くように配置され、支持枠体１の端部に案内板14が取付けられ、両側面11,12の間隔を保持するための係止部材２を設け、側面11から一方の側面12へ水平に突出する２本の巻取り部37が先端に固着された回転部材３を、側面11の上部に回転自在で且つ着脱可能に設け、支持枠体１内側にホースの規制用の押板が取付けられ、側面11の上部に把手５が固着されて、少なくとも構成する。【選択図】図１
2006347675.tif 000002
【特許請求の範囲】
【請求項１】
ホース（８）の幅より広い間隔を保持する側面（11），（12）と、その下端と連結する底面（13）とから成る支持枠体（１）が金属板で断面コの字状に形成され、前記側面（12）が蝶番（15）を介して外側に開くように配置され、前記支持枠体（１）の端部に、ホース（８）をスムーズに巻取るための湾曲させた案内板（14）が取付けられ、前記側面（11），（12）の間隔を保持するための係止部材（２）を設け、前記側面（11）から他の側面（12）へ水平に突出する２本の金属棒の巻取り部（32）が先端に固着された回転部材（３）を、前記側面（11）の上部に回転自在で且つ着脱可能に設け、前記支持枠体（１）の内側には、ホース（８）を規制してきれいに巻取るための弾性を有した押板（４）が取付けられ、前記支持枠体（１）を持運ぶための把手（５）が前記側面（11）の上部に固着されて、少なくとも構成したことを特徴とする消防用ホースの巻取り機。
【請求項２】
前記係止部材（２）が、前記側面（11）に一端を軸支した開閉棒（21）と、前記側面（12）に固定した凸部（22）と、該凸部（22）に係止する爪部（23）と、その爪部（23）と連結すると共に前記開閉棒（21）の他端に固着した指掛け部（24）と、前記側面（11）に一端を固定して前記側面（12）の内側に他端を当接させると共にホース（８）を巻取った際に前記ホース（８）を支持する支持棒（25）とから少なくとも成された請求項１記載の消防用ホースの巻取り機。
【請求項３】
前記回転部材（３）が、前記側面（11）の上部に着脱可能に取付ける軸受（31）と、前記側面（11）から他の側面（12）へ水平に突出する２本の金属棒の巻取り部（32）と、前記軸受（31）に軸支すると共に前記巻取り部（32）が先端に固着された回転軸（33）と、該回転軸（33）の後端に設けた巻取りハンドル（34）と、前記巻取り部（32）を外部に引抜くために前記巻取りハンドル（34）に取付けた握り棒（35）とから少なくとも成された請求項１記載の消防用ホースの巻取り機。
【請求項４】
前記側面（11）の上部に、前記軸受（31）が取付けられるための軸受外筒（16）を固着させると共に該軸受外筒（16）に溝（16a）を設け、その溝（16a）に挿入するピン（36）を前記軸受（31）に突設させ、且つ前記軸受（31）を固定するために前記軸受外筒（16）の外周に蝶ボルト（37）を取付けた請求項３記載の消防用ホースの巻取り機。
【請求項５】
前記把手（５）の中間部に補助用把手（６）が固着された請求項１記載の消防用ホースの巻取り機。
【発明の詳細な説明】
【技術分野】
【０００１】
本発明は消火作業を終えた後、消防用ホースを巻取ることが手動操作で迅速に行えると共に簡便に持運びが出来る消防用ホースの巻取り機に関する。
【背景技術】
【０００２】
従来、消防用ホース（以降、単にホースと言う）を巻取る場合、ホースを地面又は床面上に転がしながら手作業が行われていたが、相当の労力を要すると共にホースを巻取る際にそのホースが蛇行して巻回されると、巻回されたホースの側面に凹凸を生じるので、見た目が悪く、収納具合も悪かった。このため、近年に於いては、労力を軽減するための消防用ホースの巻取り機が提案されている。例えば特開２００３−１９２２４０がある。この構造は台座部と、該台座部に取付可能で、２本の突出部を有する板状の回転部と、前記突出部に着脱自在で、嵌合可能な２本の筒状部が軸部に連結され、該軸部の両先端方向に前記筒状部と反対側に取付けられた２本の取手を有するホース受け部から成る消防用ホースの巻取り機であった。また回転部の回転板は傾斜して取付けられると共に回転板の中心側に２本の突出部がある。更にホース受け部には、長尺な板状の軸部と、該軸部の裏面には２本の突出部に嵌合可能な２本の筒状部と、軸部の表面には回転部を回すための取手が２本設けられている。又、ホースを巻取る際は、先ずホース受け部の２本の筒状部を嵌合してホースを係止させ、ホース受け部を回転させて筒状部にホースが巻付く。そして２本の取手を持って回転することにより、ホースの巻取りが行われるのである。ホースを巻取った後、取手を持って、ホースと共にホース受け部を回転部から取外す。その後、巻取ったホースをホース受け部から外し、所定の場所に保管していた。
【０００３】
しかしながら特開２００３−１９２２４０は、ホースを巻取る際に、回転板が傾斜し、且つホース受け部が２本の筒状部で嵌合されてワンタッチで着脱可能に設けられているため、嵌合部が抜ける恐れや浮き上がる恐れがあり、しかもホースを巻回する際の規制が長尺な板だけであるため、ホースの蛇行或いは捩れが生じ易かった。更にホースの巻取り具合がゆるいと、傾斜状態で巻回したホースを回転板から引抜く場合、ホースの一部が下方へ突出し或いは竹の子状に全体が下方へ飛び出る恐れがあると共にホースをきれいに巻回することが容易ではない等の問題点があった。
【特許文献１】特開２００３−１９２２４０号公報
【発明の開示】
【発明が解決しようとする課題】
【０００４】
本発明は手動操作で迅速に且つ労力が軽減化されてホースを巻取ることが可能となると共に簡便に持運びが出来る消防用ホースの巻取り機を提供することを目的とする。
【課題を解決するための手段】
【０００５】
本発明は上記問題点を解消するために成されたものであり、つまり、ホースの幅より広い間隔を保持する両側面と、その下端と連結する底面とから成る支持枠体が金属板で断面コの字状に形成され、一方の側面が蝶番を介して外側に開くように配置され、支持枠体の端部に、ホースをスムーズに巻取るための湾曲させた案内板が取付けられ、両側面の間隔を保持するための係止部材を設け、側面から一方の側面へ水平に突出する２本の金属棒の巻取り部が先端に固着された回転部材を、側面の上部に回転自在で且つ着脱可能に設け、支持枠体の内側には、ホースを規制してきれいに巻取るための弾性を有した押板が取付けられ、支持枠体を持運ぶための把手が側面の上部に固着されて、少なくとも構成する。また係止部材として、側面に一端を軸支した開閉棒と、一方の側面に固定した凸部と、該凸部に係止する爪部と、その爪部と連結すると共に開閉棒の他端に固着した指掛け部と、側面に一端を固定して一方の側面の内側に他端を当接させると共にホースを巻取った際にホースを支持する支持棒とから少なくとも成される構造とする。また前記回転部材として、側面の上部に着脱可能に取付ける軸受と、側面から一方の側面へ水平に突出する２本の金属棒の巻取り部と、軸受に軸支すると共に巻取り部が先端に固着された回転軸と、該回転軸の後端に設けた巻取りハンドルと、巻取り部を外部に引抜くために巻取りハンドルに取付けた握り棒とから少なくとも成されるものとし、更に前記側面の上部に軸受外筒を固着させると共に該軸受外筒に溝を設け、その溝に挿入するピンを軸受に突設させ、且つ軸受外筒の外周に蝶ボルトを取付けても良く、前記把手の中間部に補助用把手を固着しても良い。
【発明の効果】
【０００６】
請求項１のようにホース（８）の幅より広い間隔を保持する側面（11），（12）と、その下端と連結する底面（13）とから成る支持枠体（１）を金属板で断面コの字状に形成し、側面（12）が蝶番（15）を介して外側に開くように配置され、支持枠体（１）の端部に、ホース（８）がスムーズに巻取られるために湾曲した案内板（14）を取付け、側面（11），（12）の間隔が保持されるための係止部材（２）を設け、側面（11）から他の側面（12）へ水平に突出する２本の金属棒の巻取り部（32）が先端に固着された回転部材（３）を、側面（11）の上部に回転自在で且つ着脱可能に設け、支持枠体（１）の内側には、ホース（８）が規制されてきれいに巻取るために弾性を有した押板（４）が取付けられ、支持枠体（１）が持運ばれる時に使用する把手（５）を側面（11）の上部に固着して、少なくとも構成させることにより、従来の如きホース（８）を巻回する際に嵌合部の抜けや浮きの心配がなくなると共にホース（８）の規制が長尺な板だけではなく、押板（４）によって側面（12）側に押圧された状態で巻回されるため、ホース（８）の蛇行が防止されると共に、例えホース（８）の巻取り具合がゆるい場合であっても、従来の如きホース（８）の一部が下方へ突出し或いは竹の子状に全体が飛び出る恐れがなくなり、支持枠体（１）の内部から巻回したホース（８）を確実に取出すことが出来るものとなる。更に回転部材（３）によってホース（８）の巻取りは、手動操作であっても迅速に且つ労力を軽減化して操作できるものとなると共に簡便に持運びが出来るものとなる。
【０００７】
請求項２のように係止部材（２）として、側面（11）に一端が軸支された開閉棒（21）と、側面（12）に固定された凸部（22）と、該凸部（22）に係止する爪部（23）と、その爪部（23）と連結すると共に開閉棒（21）の他端に固着した指掛け部（24）と、側面（11）に一端が固定されて側面（12）の内側に他端を当接すると共にホース（８）が巻取られた際にホース（８）を支持する支持棒（25）とから少なくとも構成することにより、側面（12）の開閉が可能になり、且つホース（８）の規制が側面（12）と押板（４）とから成されるため、ホース（８）の蛇行が防止されると共に例えホース（８）がゆるく巻取られても、その後は支持棒（25）で巻取られたホース（８）の外周が支持され、且つ側面（12）を開くことにより、支持枠体（１）の内部から巻回したホース（８）をそのまま手で簡単に取出すことが出来るものとなる。
【０００８】
請求項３に示すように回転部材（３）として、側面（11）の上部に着脱可能に取付ける軸受（31）と、側面（11）から他の側面（12）へ水平に突出する２本の金属棒の巻取り部（32）と、軸受（31）に軸支すると共に巻取り部（32）が先端に固着された回転軸（33）と、該回転軸（33）の後端に設けた巻取りハンドル（34）と、巻取り部（32）を外部に引抜くために巻取りハンドル（34）に取付けた握り棒（35）とから少なくとも構成することにより、ホース（８）の巻取り操作が、手動操作であっても迅速に且つ労力を軽減化して操作できるものとなる。またホース（８）をきれいに巻回することが容易なものとなると共にホース（８）を巻取り部（32）から外れた状態で取出しが行われるので、ホース（８）の取出しがスムーズなものとなる。
【０００９】
請求項４に示すように側面（11）の上部に軸受外筒（16）を固着させると共に該軸受外筒（16）に溝（16a）を設け、その溝（16a）に挿入するピン（36）を軸受（31）に突設させ、且つ軸受外筒（16）の外周に蝶ボルト（37）を取付けることにより、回転部材（３）の着脱が簡単に行えるものとなる。また巻回したホース（８）から巻取り部（32）を簡単に引抜くことが可能となるため、ホース（８）の片付けがより迅速で且つ簡単に行えるものとなる。
【００１０】
請求項５のように把手（５）の中間部に補助用把手（６）を固着することにより、本発明品の持運びが簡便に出来るものとなる。また回転部材（３）を引抜く際に、支持枠体（１）の押さえとなるため、よりスムーズに引抜きが可能となる。
【発明を実施するための最良の形態】
【００１１】
図１、図２は本発明の実施形態を示す図であり、これについて説明する。（１）はホース（８）の幅より広い間隔を保持する側面（11），（12）と、その下端と連結する底面（13）とから成る支持枠体であり、該支持枠体（１）は金属板を断面コの字状に折曲して形成され、前記側面（11），（12）の前後は大きく面取りされて台形状を呈しており、一方の側面（12）は蝶番（15）を介して外側に開くように配置されると共にその上部には後述する巻取り部（32）の先端を逃がすための穴（12a）が穿設されている。また前記支持枠体（１）の端部には、ホース（８）をスムーズに巻取るための湾曲させた金属製の案内板（14）が取付けられている。前記案内板（14）は、一端が前記底面（13）の端部と固定されて連続し、上方へ湾曲して略Ｃ字状に折曲され、その端部は前記側面（11）と固着された棒に巻付けられている。更に前記側面（11）の上部には、後述する回転部材（３）を着脱可能に取付けるための軸受外筒（16）が固着されており、該軸受外筒（16）には、後述するピン（36）を挿入させるための溝（16a）が設けられている。
【００１２】
（２）は側面（11），（12）の間隔を保持すると共に側面（12）の開閉を行うための係止部材であり、該係止部材（２）としては、支持枠体（１）の案内板（14）側の側面（11），（12）上部に架設すると共に側面（11）に一端を軸支した開閉棒（21）と、前記側面（12）の外側に固定した丸棒状の凸部（22）と、該凸部（22）に係止する爪部（23）と、その爪部（23）と連結すると共に前記開閉棒（21）の他端に固着した指掛け部（24）と、前記側面（11）に一端を固定して側面（12）の内側に他端を当接させると共にホース（８）を巻取った際にホース（８）の外周を支持するための支持棒（25）と、一端を前記側面（11）に固定し且つ他端を前記底面（13）に固定させると共にホース（８）の外周下部を支持するための支え棒（26）とから成されている。
【００１３】
（３）は側面（11）から他の側面（12）の穴（12a）を貫通し且つ水平に突出する２本の金属棒の巻取り部（32）が先端に固着された回転部材であり、該回転部材（３）としては、前記側面（11）の軸受外筒（16）に着脱可能に取付けられる軸受（31）と、前記巻取り部（32）と、前記軸受（31）に軸支すると共に前記巻取り部（32）を先端に固着した回転軸（33）と、該回転軸（33）の後端に設けた巻取りハンドル（34）と、前記巻取り部（32）を外部に引抜くために前記巻取りハンドル（34）に取付けた握り棒（35）と、前記軸受（31）に突設させると共に軸受外筒（16）の溝（16a）に挿入するピン（36）と、前記軸受外筒（16）の外周に取付けると共に前記軸受（31）を固定するための蝶ボルト（37）とから成されている。また前記回転軸（33）は図示しないベアリングを介して軸受（31）に軸支されている。
【００１４】
（４）は支持枠体（１）の内側に取付けた弾性を有する金属製の押板であり、該押板（４）としては、板バネ材を用いるか或いはその板バネ材と一緒に図２に示すコイルスプリングも用いても良い。この押板（４）はホース（８）の蛇行を規制してきれいに巻取れる役目が果せる形状及び構造のものであれば良い。（５）は支持枠体（１）を持運ぶために側面（11）の上部に固着された把手であり、該把手（５）の外周にはゴムなどの滑止材を被覆しておくのが好ましい。（６）は把手（５）の中間部に固着された補助用把手である。（７）は支持枠体（１）を載置してその底面（13）をボルトなどで固定させた台であり、該台（７）の下部には脚などを取付けておくと良い。
【００１５】
次に本発明の使用方法について説明する。先ず始めにホース（８）を巻取る場合について説明する。先ず指掛け部（24）に指を引掛けて持上げると、側面（11），（12）の間隔を保持させていた開閉棒（21）が持上げられ、且つ爪部（23）が凸部（22）から外れ、側面（12）を図２のように外側へ開く。この時、開閉棒（21）を図３の２点鎖線の位置に回転しておくと良い。その後、ホース（８）を巻取り部（32）に挟んで掛け、且つ巻取りハンドル（34）を回して巻取りが可能になるようにする。更にホース（８）が案内板（14）の上をスムーズに通過するようにセットする［図４（ａ）参照］。そして側面（12）を元の位置に戻し、開閉棒（21）を側面（11），（12）上部に架設すると共に爪部（23）を凸部（22）に係止させる。これで巻取りが開始される。その後、巻取りハンドル（34）を図４に示す矢印のように回転すると、ホース（８）は２本の金属棒の巻取り部（32）の外周に巻回し始める。この時、ホース（８）は案内板（14）と開閉棒（21）の間を通過し、上下の動きをある程度規制すると共に図２に示す押板（４）によって内側に押されるため、ホース（８）は側面（12）と押板（４）で左右の動きが規制されるのである。このようにして巻取りハンドル（34）を回転させることにより、ホース（８）は図４（ｂ）に示すように巻取られるのである。従って、ホース（８）の蛇行が殆どなくなるため、ホース（８）はきれいに巻回されたものとなる。
【００１６】
巻取られたホース（８）を支持枠体（１）から外す場合は、先ず指掛け部（24）に指を引掛けて持上げると、係止部材（２）が解除され、側面（12）を図２のように外側へ開く。この時、図３に示すように開閉棒（21）は側面（11）側に倒しておくと良い。その後、蝶ボルト（37）を弛めると共に握り棒（35）を握り、軸受外筒（16）の溝（16a）からピン（36）を抜くと、回転部材（３）はフリーになるので、握り棒（35）を握った状態で更に外側へ引き、巻取り部（32）を支持枠体（１）から引抜く。この時、ホース（８）の外周は図４（ｂ）に示す如く左右及び中央下部で支持される。そして、支持枠体（１）内に手を入れ、巻回したホース（８）を取出し、消防自動車や収納庫に運び込めば良い。
【００１７】
ホース（８）を支持枠体（１）から取出した後は、側面（12）を元の位置に戻し、開閉棒（21）を側面（11），（12）上部に架設すると共に爪部（23）を凸部（22）に係止させて、係止部材（２）を係止する。また握り棒（35）を握り、回転部材（３）を側面（11）上部に取付ける。この時は、握り棒（35）を握り、巻取り部（32）を側面（11）から側面（12）の穴（12a）に貫通させ、且つ軸受（31）を軸受外筒（16）に挿入すると共にピン（36）を溝（16a）に挿入する。更に蝶ボルト（37）を締付けて軸受（31）が軸受外筒（16）に固定されるのである。この状態で把手（５）と補助用把手（６）に手を当て持上げ、持ち運べば良い。
【図面の簡単な説明】
【００１８】
【図１】本発明の実施形態を示す斜視図である。
【図２】本実施形態の支持枠体の側面が開かれた状態で正面から見た要部部品を示す説明図である。
【図３】本発明の係止部材の要部を示す説明図である。
【図４】本発明の作用を示す説明図である。
【符号の説明】
【００１９】
１  支持枠体
11,12  側面
13  底面
14  案内板
15  蝶番
16  軸受外筒
16a  溝
２  係止部材
21  開閉棒
22  凸部
23  爪部
24  指掛け部
25  支持棒
３  回転部材
31  軸受
32  巻取り部
33  回転軸
34  巻取りハンドル
35  握り棒
36  ピン
37  蝶ボルト
４  押板
５  把手
６  補助用把手
８  ホース
【図１】
2006347675.tif 000003
【図２】
2006347675.tif 000004
【図３】
2006347675.tif 000005
【図４】
2006347675.tif 000006